(57)【要約】【課題】前掛け部の上縁に紐を取付けて腰に紐を結んで下半身の正面を前掛け部にてカバーする前掛けであって、温泉旅館や料亭での接待、及び茶席での接待を行う場合に、和服に調和する前掛けの提供。【解決手段】正面から見た場合には袴を着用している見えるものであり、３枚の生地片５ａ，５ｂ，５ｃを繋ぎ合わせると共に、中央の生地片５ｂを折り曲げて折り返し部３を作り、そして裏側の折目４ｂ、４ｂが崩れないように縫い付け、又正面側の両折目４ａ，４ａを突合せて上縁から所定の長さ分Ａだけ離れないように縫い付けている。【選択図】        図１
2004256929.tif 000002
【特許請求の範囲】
【請求項１】
前掛け部の上縁に紐を取付けて腰に該紐を結んで下半身の正面を前掛け部にてカバーする前掛けにおいて、前掛け部の一部を折り曲げて裏側に折り返し部を設けることで袴風に見せたことを特徴とする袴形の前掛け。
【請求項２】
３枚の生地片を繋ぎ合せると共に、中央の生地片を折り曲げて折り返し部を作り、そして裏側の折目が崩れないように縫い付け、又正面側の両折目を突合せて上縁から所定の長さ分だけ離れないように縫い合わせて前掛け部を構成した請求項１記載の袴形の前掛け。
【請求項３】
大きな生地を折り曲げて裏側に折り返し部を作り、正面側の折目及び裏側の折目が崩れないように縫い付け、そして正面側の両折目を突合せて上縁から所定の長さ分だけ離れないように縫い合わせて前掛け部を構成した請求項１記載の袴形の前掛け。
【発明の詳細な説明】
【０００１】
【発明の属する技術分野】
本発明は正面から見た場合に袴のように見える前掛けに関するものである。
【０００２】
【従来の技術】
一般に前掛けと称される物は長方形をした生地から成る前掛け部（イ）の上縁に紐（ロ）を縫い付けている。一般家庭において台所仕事をする際、調理人が料理を作る際、その他、色々な作業を行う際に前掛けが使用されている。生産工場などでも該前掛けを着用して作業する場合も多い。該前掛けは紐を腰に巻き付けて着用することで、各種作業を行う際に下半身の衣類が汚れないように保護することが出来る。
【０００３】
図５は一般的な前掛けを示しているが、前掛け部（イ）は同図に示すごとく縦長の長方形生地であるが、該前掛け部（イ）は必ずしも長方形に限るものではなく、側縁から下縁にかけて円弧形状とした前掛け部（イ）も使用されている。そして該前掛け部の生地は、用途に応じて適した素材が用いられ、一般家庭の台所作業時に着用する前掛けであれば、比較的薄地でカラフルなデザインのものが好まれている。逆に、調理人が毎日の仕事に際して着用する前掛けの前掛け部は、厚手で丈夫な生地が使用される。
【０００４】
特に、工場での生産現場で着用する前掛けであるならば、さらに丈夫で破れ難い生地が前掛け部（イ）として用いられている。ところで、前掛けを着用して客の前に出なくてはならない作業、例えば高級温泉旅館での接待、料亭での接待、及び茶席での接待など、特別な席では従来のような長方形の前掛け部（イ）ではその場に適さないことが多い。従来では、前掛け部の形状、生地質、並びに模様や色彩などを付加することで、上記のような場に合うように工夫しているが、十分ではない。すなわち、従来の前掛けは一般に和服に調和しない。
【０００５】
【発明が解決しようとする課題】
このように、従来の前掛けには上記のごとき問題がある。本発明が解決しようとする課題はこれら問題点であり、温泉旅館や料亭での接待、及び茶席での接待の場において適して前掛けを提供する。
【０００６】
【課題を解決する為の手段】
本発明に係る前掛けは、前掛け部の上縁に紐を縫い付けした形状であり、基本的には従来のものと共通するが、本発明の前掛けはその前掛け部を袴形状としている。袴形状とすることで正面から見た場合に袴を着用しているように見られ、長方形の前掛け部に比較して上品な前掛けと成り、和服に調和する。又、袴形とすることで裏側に折り返し部が作られ、この折り返し部によって前掛けをしても作業がし易くなる。
【０００７】
本発明の前掛けはあくまでも前掛けであって袴ではなく、後ろ姿は普通の前掛けを着用した場合と同じである。ところで、袴形前掛けの具体的な作り方は限定しないことにするが、縦長の３枚の生地を縫い合わせて大きな長方形生地を作り、中央の生地を折畳んで両側の生地の縫い合わせ部を突合せる。そして上縁に沿って紐を縫い付けることで製作できる。以下、本発明に係る実施例を図面に基づいて詳細に説明する。
【０００８】
【実施例】
図１本発明に係る袴形前掛けを示す実施例であり、（ａ）は正面図、（ｂ）は裏面図、（ｃ）は底面図を夫々表している。同図の１は前掛け部、２は紐を示し、前掛け部１の上縁には細長い紐２が縫い付けられて、該前掛け部１の両側へ延びている。従って、紐２を腰に締めることで前掛け部１を腰から脚にかけての部分をカバーすることが出来る。
【０００９】
ところで、同図から明らかなように、上記前掛け部１は１枚の平坦な生地ではなく、中央部に折り返し部３を設けることで、正面から見た場合には袴のような外観を形成している。すなわち、大きな長方形生地の中央部を折り曲げて裏側に折り返し部３を設けている。ここで、該折り返し部３の形状が崩れないようにアイロンを当ててプレスすることも出来るが、折目４，４・・を縫い付けることで型崩れが防止される。
【００１０】
そして、正面の折目４ａ，４ａの上部、すなわち紐２から所定の長さ分だけ縫い合わせて両折目４ａ，４ａを突合せている。図２は上記前掛けを着用した場合を示しているが、該前掛けは正面から見た場合に袴を着用しているようになり、和服を着ている場合には、該和服と調和する前掛けである。勿論、後方からの様子は従来通りである。
【００１１】
そして、この前掛け部１には折り返し部３が設けられていることで、従来のような長方形生地の前掛け部に比較して動き易くなる。すなわち、和服に密着して動きに追従しても上記折り返し部３によって前掛け部１が体の動きを拘束しないようになる。ところで、本発明は前掛けを製作する方法は自由であるが、一般には３枚の長方形生地を繋ぎ合せて大きな長方形の前掛け部生地を製作し、これを折り返して折り返し部３を作り、そして紐２を縫い付ける。
【００１２】
図３はこの前掛けの製作工程を示している。
（ａ）は縦Ｈ、横Ｍの長方形生地片５ａ，５ｂ・・３枚と長さＳ、巾Ｑの細長い１枚の生地６が使用される。
（ｂ）は上記３枚の生地片５ａ，５ｂ・・を繋ぎ合せて前掛け部と成る大きな長方形生地７を製作し、下縁に裾８が作られる。該裾８は３つ折して縫い合わされ、アイロンプレスされる。
【００１３】
（ｃ）は中央の生地片５ｂを折り曲げて折り返し部３を作る。折目４ａ，４ａは両側の生地片５ａ，５ｂ及び５ｂ，５ｃと縫い合わされているが、裏側の折目４ｂ，４ｂも単に折り曲げてアイロンプレスしただけでは型崩れすることから、縫い合わされて縫い目が作られる。
（ｄ）は正面側の折目４ａ，４ａを突き合わせた状態で上縁から長さＡだけ縫い付けし、この部分での折目４ａ，４ａが離れないようにする。ここで前掛け部１が完成する。
【００１４】
（ｅ）は紐２を前掛け部１に縫い付ける工程であるが、長さ方向に２つ折して前掛け部１の上縁を間に入れて挟み込むようにして縫い合わせる。そして完成した前掛けは（ｆ）に示すようになる。上記紐２は（ａ）に示す細長い生地６を２つ折りして縫い付けるだけでなく、縁取りされている。
【００１５】
図４は本発明に係る前掛けの別の製作工程を示している。
（ａ）この製作では、３枚の生地片を繋ぎ合せて大きな生地を作ることなく、所定大きさの生地９と細長い生地６が使用される。
（ｂ）は上記生地９を折り曲げて折り返し部３を作る。該折り返し部３を作ることで正面側には折目４ａ，４ａが、裏側には折目４ｂ，４ｂが形成されるが、単に折り曲げてアイロンプレスしただけでは型崩れすることから、これら折目４ａ，４ｂは縫い合わされて縫い目が作られる。
【００１６】
（ｃ）は正面側の折目４ａ，４ａを突き合わせた状態で上縁から長さＡだけ縫い付けし、この部分での折目４ａ，４ａが離れないようにする。ここで前掛け部１が完成する。
（ｄ）は紐２を前掛け部１に縫い付ける工程であるが、長さ方向に２つ折して前掛け部１の上縁を間に入れて挟み込むようにして縫い合わせる。そして完成した前掛けは（ｅ）に示すようになる。
【００１７】
以上述べたように、本発明の前掛けは正面から見た状態が袴形をしたものであり、次のような効果を得ることが出来る。
【００１８】
【発明の効果】
本発明に係る前掛けは袴形をしている。従って前掛けとして着物の汚れを防止するだけでなく、正面から見た姿は袴を着用しているように見える為に、上品である。従って、高級温泉旅館や料亭での客の接待として適しており、特に和服との調和が良好である。そして、袴形前掛けは見栄えが良いだけでなく、折り返し部があることで動き易く、作業に支障を来たすことがない。
【図面の簡単な説明】
【図１】本発明に係る袴形前掛けを示す実施例。
【図２】袴形前掛けを着用した場合。
【図３】袴形前掛けの製作工程。
【図４】袴形前掛けの製作工程。
【図５】従来の前掛け。
【符号の説明】
１  前掛け部
２  紐
３  折り返し部
４  折目
５  生地片
６  生地
７  生地
８  裾
９  生地
【図１】
2004256929.tif 000003
【図２】
2004256929.tif 000004
【図３】
2004256929.tif 000005
【図４】
2004256929.tif 000006
【図５】
2004256929.tif 000007